(57)【要約】【課題】指１本で持運びが可能であり、スタイリッシュでシンプルなデザインのタンブラーを提供する。【解決手段】容器本体２２と、容器本体の上端開口部２３を施蓋する蓋部２４とを備えるタンブラー２１であって、蓋部は、円形状に形成され、縁部近傍に設けられる飲み口２７と、飲み口を閉塞可能な開閉キャップ２８とを有し、開閉キャップは、蓋部の中央部に設けられたＵ字状の溝部２９を覆った状態に取り付けられ、支軸３３を中心に回動可能な仕組みになっており、開閉キャップが飲み口を閉塞した状態において、蓋部の上面がフラットな状態を呈する。【選択図】図３
0003228569.tif 000002
【実用新案登録請求の範囲】
【請求項１】
容器本体と、該容器本体の上端開口部を施蓋する蓋部とを備えるタンブラーであって、
前記蓋部は、円形状に形成され、縁部近傍に設けられる飲み口と、該飲み口を閉塞可能な開閉キャップとを有し、
該開閉キャップは、前記蓋部の中央部に設けられたＵ字状の溝部を覆った状態に取り付けられ、支軸を中心に回動可能な仕組みになっており、
前記開閉キャップが前記飲み口を閉塞した状態において、前記蓋部の上面がフラットな状態を呈すること
を特徴とするタンブラー。
【請求項２】
前記開閉キャップは、平面視が縦長の本体部と、該本体部の下部に取り付けられ両側部に前記支軸を備えるガイドリングとからなり、
前記両側部の前記支軸が、前記溝部の双璧にそれぞれ設けられた小孔にそれぞれ嵌合して、前記開閉キャップが回動自在な構成であること
を特徴とする請求項１に記載のタンブラー。
【請求項３】
前記蓋部の外周には、その半円形状に沿った湾曲状の持ち手が設けられており、
該持ち手は、両端部の係止部を支点にして起立及び倒伏が自在な構成であること
を特徴とする請求項１に記載のタンブラー。
【考案の詳細な説明】
【技術分野】
【０００１】
本考案は、指１本で持運びが可能であり、スタイリッシュでシンプルなデザインのタンブラーに関するものである。
【背景技術】
【０００２】
従来のタンブラーとしては、例えば、図７（Ａ）（Ｂ）の構成のものが知られている。このタンブラー１は、容器本体２と、容器本体２の上部にネジ部３を介して着脱自在に螺着される蓋体４とから構成される。
【０００３】
蓋体４の傾斜部５には、飲み口６と通気孔７とが形成されており、また、傾斜部５の途中に設けたヒンジ部８を中心にして上下方向に回動自在な蓋片９を有する。蓋片９には、その回動により飲み口６と通気孔７とを密閉し又は開放する栓体１０及び栓体１１を備えている（特許文献１参照）。
【０００４】
このような構成のタンブラー１は、蓋片９がヒンジ部８を中心にして上下方向に回動するので、タンブラー１を使用しない時には、蓋片９を押し下げて、栓体１０と栓体１１とで飲み口６と通気孔７とを密閉状態に閉塞する（図７（Ａ）参照）。また、タンブラー１を使用する時には、蓋片９を上方に持ち上げて、飲み口６と通気孔７とを開放する（図７（Ｂ）参照）。
【先行技術文献】
【特許文献】
【０００５】
【特許文献１】特開２０１３−１８４７３８号公報
【考案の概要】
【考案が解決しようとする課題】
【０００６】
この従来例のタンブラー１においては、持ち運ぶ際に少なくとも一方の手で容器本体２を把持する必要がある。従って、昨今の職場で社員が個々の自席を持たず自由に働く席を選択できるフリーアドレス環境において、ノートＰＣや他の荷物と一緒にタンブラー１も頻繁に持ち運ぶ必要があり、その場合、一方の手が塞がれた状態で、他の荷物と一緒に持ちにくく不便であるという問題点を有している。
【０００７】
また、蓋片９を閉塞した状態においては（図７（Ａ）参照）、タンブラー１の上部に凹凸した段差形状が目立ち、デザイン的にセンスが劣り、到底スタイリッシュなデザインとは言いがたいという問題点も有している。
【０００８】
従って、従来例におけるタンブラー１においては、持ち運ぶ際に一方の手を塞ぐことなく容易に移動ができることと、スタイリッシュでシンプルなデザインにすることとに解決しなければならない課題を有している。
【課題を解決するための手段】
【０００９】
前記従来例の課題を解決するための本考案の要旨は、容器本体と、該容器本体の上端開口部を施蓋する蓋部とを備えるタンブラーであって、前記蓋部は、円形状に形成され、縁部近傍に設けられる飲み口と、該飲み口を閉塞可能な開閉キャップとを有し、該開閉キャップは、前記蓋部の中央部に設けられたＵ字状の溝部を覆った状態に取り付けられ、支軸を中心に回動可能な仕組みになっており、前記開閉キャップが前記飲み口を閉塞した状態において、前記蓋部の上面がフラットな状態を呈することである。
【００１０】
また、前記開閉キャップは、平面視が縦長の本体部と、該本体部の下部に取り付けられ両側部に前記支軸を備えるガイドリングとからなり、前記両側部の前記支軸が、前記溝部の双璧にそれぞれ設けられた小孔にそれぞれ嵌合して、前記開閉キャップが回動自在な構成であること、；
前記蓋部の外周には、その半円形状に沿った湾曲状の持ち手が設けられており、該持ち手は、両端部の係止部を支点にして起立及び倒伏が自在な構成であること、；
を含むものである。
【考案の効果】
【００１１】
本考案に係るタンブラーによれば、開閉キャップがＵ字状の溝部を覆った状態に取り付けられ、支軸を中心に回動可能な仕組みであり、開閉キャップが飲み口を閉塞した状態において、蓋部の上面がフラットな状態を呈することによって、タンブラーがスタイリッシュでシンプルなデザインであるという優れた効果を奏する。
【００１２】
また、蓋部の外周には、その半円形状に沿った湾曲状の持ち手が設けられており、持ち手は、両端部の係止部を支点にして起立及び倒伏が自在な構成であることによって、持ち手を起こして、その中に指を入れて持ち運ぶことができる。
従って、フリーアドレス環境において、ノートＰＣや他の荷物と一緒に指１本でタンブラーを簡単に持ち歩くことができるという優れた効果を奏する。
【図面の簡単な説明】
【００１３】
【図１】本考案に係るタンブラーの斜視図である。
【図２】本考案に係るタンブラーの斜視図である。
【図３】本考案に係るタンブラーの各部材を分離して示した斜視図である。
【図４】開閉キャップを開状態にした斜視図である。
【図５】開閉キャップを開状態にした縦断面図である。
【図６】持ち手を起こした状態の斜視図である。
【図７】（Ａ）従来例に係るタンブラーの蓋体が閉状態の一部縦断面図である。（Ｂ）従来例に係るタンブラーの蓋体が開状態の一部縦断面図である。
【考案を実施するための形態】
【００１４】
次に、本考案の実施の形態について図面を参照しながら説明する。まず、図１から図６において、符号２１はタンブラーを示し、このタンブラー２１は、容器本体２２と、容器本体２２の上端開口部２３（図３参照）を施蓋する蓋部２４とから構成される。
【００１５】
容器本体２２は、プラスチック等の合成樹脂材で形成され、筒形又はコップ形を呈し、図示はしないが、外側の外ケースと内側の内ケースとの二重構造に形成されている。外ケースと内ケースとの間には、発泡ウレタン等の断熱材が充填されており、その結果、容器本体２２の熱伝導が小さくなって、保温効果や保冷効果が向上する。
【００１６】
容器本体２２の上端には、図３に示すように、上端開口部２３を有し、上端の外周面に段部２５が形成され、上端の内周面に雌ネジ部２６が形成されている。
【００１７】
蓋部２４は、図３に示すように、円形状に形成され、縁部近傍に設けられる飲み口２７と、飲み口２７を閉塞可能な開閉キャップ２８とを有し、蓋部２４のほぼ中央部には、Ｕ字状の溝部２９が設けられている（図５参照）。
また、蓋部２４の下部の外周に沿った位置には、図３に示すように、容器本体２２の雌ネジ部２６と螺合する雄ネジ部３０が形成されている。
【００１８】
開閉キャップ２８は、図３に示すように、平面視が縦長の本体部３１と、本体部３１の下部に取り付けられるガイドリング３２とからなる。ガイドリング３２の両側部には、支軸３３がそれぞれ設けられており、この支軸３３が、本体部の孔部３４に嵌合して外側に突出するようになっている。また、開閉キャップ２８の下部には、飲み口２７を密閉するための栓体３８が設けられている（図４参照）。
【００１９】
そして、開閉キャップ２８は、溝部２９の上部を覆った状態に取り付けられ、支軸３３が、溝部２９の双璧にそれぞれ設けられた小孔３５にそれぞれ嵌合して、支軸３３を中心にして開閉キャップ２８が回動自在な仕組みになっている（図５の矢印参照）。
この場合、開閉キャップ２８を開状態又は閉状態に移動するときには、開閉キャップ２８の後端部２８ａが、溝部２９の周面に沿って移動する。
【００２０】
なお、開閉キャップ２８が溝部２９を覆った状態において、図１及び図２に示すように、蓋部２４の上面がフラットな状態となり、その結果、タンブラー２１がスタイリッシュでシンプルなデザインを呈することとなる。
【００２１】
蓋部２４の外周には、その半円形状に沿った湾曲状の持ち手３６が設けられている。持ち手３６は、図６に示すように、両端部の係止部３７を支点にして、起立及び倒伏が自在な構成である。従って、持ち手３７を起こして、その中に指を入れて持ち運ぶことができる。
【００２２】
以上のように構成されるタンブラー２１は、開閉キャップ２８がＵ字状の溝部２９を覆った状態に取り付けられ、支軸３３を中心に回動可能な仕組みであり、開閉キャップ２８が飲み口２７を閉塞した状態において、蓋部２４の上面がフラットな状態となる。従って、タンブラー２１がスタイリッシュでシンプルなデザインを呈する。
【００２３】
また、蓋部２４の外周には、持ち手３６が設けられており、持ち手３６を起こして、その中に指を入れて持ち運ぶことができる。従って、フリーアドレス環境において、ノートＰＣや他の荷物と一緒に指１本でタンブラーを簡単に持ち歩くことができるので便利である。
【符号の説明】
【００２４】
１    タンブラー
２    容器本体
３    ネジ部
４    蓋体
５    傾斜部
６    飲み口
７    通気孔
８    ヒンジ部
９    蓋片
１０、１１  栓体
２１  タンブラー
２２  容器本体
２３  上端開口部
２４  蓋部
２５  段部
２６  雌ネジ部
２７  飲み口
２８  開閉キャップ
２８ａ後端部
２９  溝部
３０  雄ネジ部
３１  本体部
３２  ガイドリング
３３  支軸
３４  孔部
３５  小孔
３６  持ち手
３７  係止部
３８  栓体
【図１】
0003228569.tif 000003
【図２】
0003228569.tif 000004
【図３】
0003228569.tif 000005
【図４】
0003228569.tif 000006
【図５】
0003228569.tif 000007
【図６】
0003228569.tif 000008
【図７】
0003228569.tif 000009